(57)【要約】【課題】売取引と買取引の組合せである交換取引を管理する際のユーザの入力負担を軽減すること。【解決手段】交換取引管理装置は、取引元をユーザ、取引先を第１の取引相手、売取引を第１の取引、買取引を第２の取引及び取引条件を第１の交換取引条件とした第１の交換取引情報の入力を受け付け、当該受け付けた第１の交換取引情報を記憶手段に登録する第１の登録手段と、第２の取引相手を第２の交換取引の取引先とした情報の入力を受け付け、取引先を当該受け付けた第２の取引相手とし、記憶手段に登録された第１の交換取引情報を参照し、取引元をユーザ、売取引を第２の取引及び買取引を第１の取引とし、さらに、取引条件を第１の交換取引条件に基づいて決定された第２の交換取引条件として第２の交換取引情報を自動生成し、当該第２の交換取引情報を記憶手段に登録する第２の登録手段と、を備える。【選択図】図１
2012256261.tif 000002
【特許請求の範囲】
【請求項１】
第１の取引相手と第１のユーザとの間で締結された売取引と買取引の組合せである第１の交換取引と、当該第１の交換取引の変動要素を相殺する反対取引である第２の交換取引の管理を行う交換取引管理装置であって、
前記第１のユーザは、前記交換取引管理装置に予め登録されており、
前記交換取引に関する取引元、取引先、売取引、買取引及び取引条件を含む交換取引情報を記憶する記憶手段と、
前記取引元を前記第１のユーザ、前記取引先を前記第１の取引相手、前記売取引を第１の取引、前記買取引を第２の取引及び前記取引条件を第１の交換取引条件とした第１の交換取引情報の入力を受け付け、当該受け付けた第１の交換取引情報を前記記憶手段に登録する第１の登録手段と、
第２の取引相手を前記第２の交換取引の前記取引先とした情報の入力を受け付け、前記取引先を当該受け付けた第２の取引相手とし、前記記憶手段に登録された第１の交換取引情報を参照し、前記取引元を前記第１のユーザ、前記売取引を前記第２の取引及び前記買取引を前記第１の取引とし、さらに、前記取引条件を前記第１の交換取引条件に基づいて決定された第２の交換取引条件として第２の交換取引情報を自動生成し、当該第２の交換取引情報を前記記憶手段に登録する第２の登録手段と、
を備える交換取引管理装置。
【請求項２】
前記第２の登録手段は、予め定められた手数料に基づいて前記第１の交換取引条件を補正して、前記第２の交換取引条件を決定することを特徴とする請求項１に記載の交換取引管理装置。
【請求項３】
前記第２の取引相手が当該交換取引管理装置に予め登録された第２のユーザである場合に、前記第２の交換取引における取引元と取引先を入れ替えた第３の交換取引に対応する第３の交換取引情報を自動生成する指示を受け付け、前記記憶手段に登録された第２の交換取引情報を参照し、前記取引元を当該第２のユーザ、前記取引先を前記第１のユーザ、前記売取引を前記第１の取引、前記買取引を前記第２の取引及び前記取引条件を前記第２の交換取引条件として前記第３の交換取引情報を自動生成し、当該第３の交換取引情報を前記記憶手段に登録する第３の登録手段をさらに備えることを特徴とする請求項１又は２に記載の交換取引管理装置。
【請求項４】
前記交換取引管理装置は、前記第３の交換取引の前記反対取引である第４の交換取引をさらに管理し、
第３の取引相手を前記第４の交換取引の前記取引先とした情報の入力を受け付け、前記取引先を当該受け付けた第３の取引相手とし、前記記憶手段に登録された第３の交換取引情報を参照し、前記取引元を前記第２のユーザ、前記売取引を前記第２の取引、前記買取引を前記第１の取引及び前記取引条件を前記第２の交換取引条件として第４の交換取引情報を自動生成し、当該第４の交換取引情報を前記記憶手段に登録する第４の登録手段をさらに備えることを特徴とする請求項３に記載の交換取引管理装置。
【請求項５】
第１の取引相手とユーザとの間で締結された売取引と買取引の組合せである第１の交換取引と、第２の取引相手と当該ユーザとの間で締結された第２の交換取引と、当該第１の交換取引及び当該第２の交換取引の変動要素を相殺する反対取引である第３の交換取引の管理を行う交換取引管理装置であって、
前記ユーザは、前記交換取引管理装置に予め登録されており、
前記交換取引に関する取引元、取引先、売取引、買取引及び取引条件を含む交換取引情報を記憶する記憶手段と、
前記取引元を前記ユーザ、前記取引先を前記第１の取引相手、前記売取引を第１の取引、前記買取引を第２の取引及び前記取引条件を第１の交換取引条件とした第１の交換取引情報の入力を受け付け、当該受け付けた第１の交換取引情報を前記記憶手段に登録する第１の登録手段と、
前記取引元を前記ユーザ、前記取引先を前記第２の取引相手、前記売取引を前記第１の取引、前記買取引を前記第２の取引及び前記取引条件を前記第２の交換取引条件とした第２の交換取引情報の入力を受け付け、当該受け付けた第２の交換取引情報を前記記憶手段に登録する第２の登録手段と、
第３の取引相手を前記第３の交換取引の前記取引先とした情報の入力を受け付け、前記取引先を当該受け付けた第３の取引相手とし、前記記憶手段に登録された第１及び第２の交換取引情報を参照し、前記取引元を前記ユーザとし、さらに、前記売取引を前記第２の取引、前記買取引を前記第１の取引、前記取引条件を前記第１の交換取引条件及び前記第２の交換取引条件を統合した交換取引条件に基づいて決定された第３の交換取引条件として第３の交換取引情報を自動生成し、当該第３の交換取引情報を前記記憶手段に登録する第３の登録手段と、
を備える交換取引管理装置。
【請求項６】
第１の取引相手とユーザとの間で締結された売取引と買取引の組合せである第１の交換取引と、当該第１の交換取引の変動要素を相殺する反対取引の一部である第２の交換取引と、当該反対取引の残りである第３の交換取引の管理を行う交換取引管理装置であって、
前記ユーザは、前記交換取引管理装置に予め登録されており、
前記交換取引に関する取引元、取引先、売取引、買取引及び取引条件を含む交換取引情報を記憶する記憶手段と、
前記取引元を前記ユーザ、前記取引先を前記第１の取引相手、前記売取引を第１の取引、前記買取引を第２の取引及び前記取引条件を第１の交換取引条件とした第１の交換取引情報の入力を受け付け、当該受け付けた第１の交換取引情報を前記記憶手段に登録する第１の登録手段と、
前記第１の交換取引情報に基づいて、前記第２の交換取引に対応する第２の交換取引情報と、前記第３の交換取引に対応する第３の交換取引情報とを自動生成し、当該第２の交換取引情報及び当該第３の交換取引情報を前記記憶手段に登録する第２の登録手段と、
を備え、
前記第２の登録手段は、
第２の取引相手を前記第２の交換取引の前記取引先とした情報及び第３の取引相手を前記第３の交換取引の前記取引先とした情報の入力を受け付け、
前記第１の交換取引条件を第１Ａの交換取引条件と第１Ｂの交換取引条件とに所定の比率で分割し、
前記取引先を当該受け付けた第２の取引相手とし、前記記憶手段に登録された第１の交換取引情報を参照し、前記取引元を前記ユーザ、前記売取引を前記第２の取引及び前記買取引を前記第１の取引とし、さらに、前記取引条件を前記第１Ａの交換取引条件に基づいて決定された第２の交換取引条件として前記第２の交換取引情報を自動生成し、
前記取引先を当該受け付けた第３の取引相手とし、前記記憶手段に登録された第１の交換取引情報を参照し、前記取引元を前記ユーザ、前記売取引を前記第２の取引及び前記買取引を前記第１の取引とし、さらに、前記取引条件を前記第１Ｂの交換取引条件に基づいて決定された第３の交換取引条件として前記第３の交換取引情報を自動生成する
ことを特徴とする交換取引管理装置。
【請求項７】
第１の取引相手と第１のユーザとの間で締結された売取引と買取引の組合せである第１の交換取引と、当該第１の交換取引の変動要素を相殺する反対取引である第２の交換取引とに関する交換取引情報を、コンピュータを用いて登録するための交換取引情報登録方法であって、
前記交換取引情報は、取引元、取引先、売取引、買取引及び取引条件を含み、
前記コンピュータは、前記交換取引情報を記憶する記憶部を有し、
前記第１のユーザは、前記コンピュータに予め登録されており、
前記取引元を前記第１のユーザ、前記取引先を前記第１の取引相手、前記売取引を第１の取引、前記買取引を第２の取引及び前記取引条件を第１の交換取引条件とした第１の交換取引情報の入力を受け付けるステップと、
当該受け付けた第１の交換取引情報を前記記憶部に登録する第１の登録ステップと、
第２の取引相手を前記第２の交換取引の前記取引先とした情報の入力を受け付けるステップと、
前記取引先を当該受け付けた第２の取引相手とし、前記記憶部に登録された第１の交換取引情報を参照し、前記取引元を前記第１のユーザ、前記売取引を前記第２の取引及び前記買取引を前記第１の取引とし、さらに、前記取引条件を前記第１の交換取引条件に基づいて決定された第２の交換取引条件として第２の交換取引情報を自動生成するステップと、
当該第２の交換取引情報を前記記憶部に登録する第２の登録ステップと、
を備える交換取引情報登録方法。
【請求項８】
第１の取引相手とユーザとの間で締結された売取引と買取引の組合せである第１の交換取引と、第２の取引相手と当該ユーザとの間で締結された第２の交換取引と、当該第１の交換取引及び当該第２の交換取引の変動要素を相殺する反対取引である第３の交換取引とに関する交換取引情報を、コンピュータを用いて登録するための交換取引情報登録方法であって、
前記交換取引情報は、取引元、取引先、売取引、買取引及び取引条件を含み、
前記コンピュータは、前記交換取引情報を記憶する記憶部を有し、
前記ユーザは、前記コンピュータに予め登録されており、
前記取引元を前記ユーザ、前記取引先を前記第１の取引相手、前記売取引を第１の取引、前記買取引を第２の取引及び前記取引条件を第１の交換取引条件とした第１の交換取引情報の入力を受け付けるステップと、
当該受け付けた第１の交換取引情報を前記記憶部に登録する第１の登録ステップと、
前記取引元を前記ユーザ、前記取引先を前記第２の取引相手、前記売取引を前記第１の取引、前記買取引を前記第２の取引及び前記取引条件を第２の交換取引条件とした第２の交換取引情報の入力を受け付けるステップと、
当該受け付けた第２の交換取引情報を前記記憶部に登録する第２の登録ステップと、
第３の取引相手を前記第３の交換取引の前記取引先とした情報の入力を受け付けるステップと、
前記取引先を当該受け付けた第３の取引相手とし、前記記憶部に登録された第１及び第２の交換取引情報を参照し、前記取引元を前記ユーザとし、さらに、前記売取引を前記第２の取引、前記買取引を前記第１の取引、前記取引条件を前記第１の交換取引条件及び前記第２の交換取引条件を統合した交換取引条件に基づいて決定された第３の交換取引条件として第３の交換取引情報を自動生成するステップと、
当該第３の交換取引情報を前記記憶部に登録する第３の登録ステップと、
を備える交換取引情報登録方法。
【請求項９】
第１の取引相手とユーザとの間で締結された売取引と買取引の組合せである第１の交換取引と、当該第１の交換取引の変動要素を相殺する反対取引の一部である第２の交換取引と、当該反対取引の残りである第３の交換取引とに関する交換取引情報を、コンピュータを用いて登録するための交換取引情報登録方法であって、
前記交換取引情報は、取引元、取引先、売取引、買取引及び取引条件を含み、
前記コンピュータは、前記交換取引情報を記憶する記憶部を有し、
前記ユーザは、前記コンピュータに予め登録されており、
前記取引元を前記ユーザ、前記取引先を前記第１の取引相手、前記売取引を第１の取引、前記買取引を第２の取引及び前記取引条件を第１の交換取引条件とした第１の交換取引情報の入力を受け付けるステップと、
当該受け付けた第１の交換取引情報を前記記憶部に登録する第１の登録ステップと、
前記第１の交換取引情報に基づいて、前記第２の交換取引に対応する第２の交換取引情報と、前記第３の交換取引に対応する第３の交換取引情報とを自動生成するステップと、
当該第２の交換取引情報及び当該第３の交換取引情報を前記記憶部に登録する第２の登録ステップと、
を備え、
前記第２の登録ステップは、
第２の取引相手を前記第２の交換取引の前記取引先とした情報及び第３の取引相手を前記第３の交換取引の前記取引先とした情報の入力を受け付けるステップと、
前記第１の交換取引条件を第１Ａの交換取引条件と第１Ｂの交換取引条件とに所定の比率で分割するステップと、
前記取引先を当該受け付けた第２の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ａの交換取引条件に基づいて決定された第２の交換取引条件として前記第２の交換取引情報を自動生成するステップと、
前記取引先を当該受け付けた第３の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ｂの交換取引条件に基づいて決定された第３の交換取引条件として前記第３の交換取引情報を自動生成するステップと、
を含むことを特徴とする交換取引情報登録方法。
【請求項１０】
第１の取引相手と第１のユーザとの間で締結された売取引と買取引の組合せである第１の交換取引と、当該第１の交換取引の変動要素を相殺する反対取引である第２の交換取引とに関する交換取引情報の登録処理を、コンピュータに実行させる交換取引情報登録プログラムであって、
前記交換取引情報は、取引元、取引先、売取引、買取引及び取引条件を含み、
前記コンピュータは、前記交換取引情報を記憶する記憶部を有し、
前記第１のユーザは、前記コンピュータに予め登録されており、
前記取引元を前記第１のユーザ、前記取引先を前記第１の取引相手、前記売取引を第１の取引、前記買取引を第２の取引及び前記取引条件を第１の交換取引条件とした第１の交換取引情報の入力を受け付ける処理と、
当該受け付けた第１の交換取引情報を前記記憶部に登録する第１の登録処理と、
第２の取引相手を前記第２の交換取引の前記取引先とした情報の入力を受け付ける処理と、
前記取引先を当該受け付けた第２の取引相手とし、前記記憶部に登録された第１の交換取引情報を参照し、前記取引元を前記第１のユーザ、前記売取引を前記第２の取引及び前記買取引を前記第１の取引とし、さらに、前記取引条件を前記第１の交換取引条件に基づいて決定された第２の交換取引条件として第２の交換取引情報を自動生成する処理と、
当該第２の交換取引情報を前記記憶部に登録する第２の登録処理と、
を前記コンピュータに実行させる交換取引情報登録プログラム。
【請求項１１】
第１の取引相手とユーザとの間で締結された売取引と買取引の組合せである第１の交換取引と、第２の取引相手と当該ユーザとの間で締結された第２の交換取引と、当該第１の交換取引及び当該第２の交換取引の変動要素を相殺する反対取引である第３の交換取引とに関する交換取引情報の登録処理を、コンピュータに実行させる交換取引情報登録プログラムであって、
前記交換取引情報は、取引元、取引先、売取引、買取引及び取引条件を含み、
前記コンピュータは、前記交換取引情報を記憶する記憶部を有し、
前記ユーザは、前記コンピュータに予め登録されており、
前記取引元を前記ユーザ、前記取引先を前記第１の取引相手、前記売取引を第１の取引、前記買取引を第２の取引及び前記取引条件を第１の交換取引条件とした第１の交換取引情報の入力を受け付ける処理と、
当該受け付けた第１の交換取引情報を前記記憶部に登録する第１の登録処理と、
前記取引元を前記ユーザ、前記取引先を前記第２の取引相手、前記売取引を前記第１の取引、前記買取引を前記第２の取引及び前記取引条件を第２の交換取引条件とした第２の交換取引情報の入力を受け付ける処理と、
当該受け付けた第２の交換取引情報を前記記憶部に登録する第２の登録処理と、
第３の取引相手を前記第３の交換取引の前記取引先とした情報の入力を受け付ける処理と、
前記取引先を当該受け付けた第３の取引相手とし、前記記憶部に登録された第１及び第２の交換取引情報を参照し、前記取引元を前記ユーザとし、さらに、前記売取引を前記第２の取引、前記買取引を前記第１の取引、前記取引条件を前記第１の交換取引条件及び前記第２の交換取引条件を統合した交換取引条件に基づいて決定された第３の交換取引条件として第３の交換取引情報を自動生成する処理と、
当該第３の交換取引情報を前記記憶部に登録する第３の登録処理と、
を前記コンピュータに実行させる交換取引情報登録プログラム。
【請求項１２】
第１の取引相手とユーザとの間で締結された売取引と買取引の組合せである第１の交換取引と、当該第１の交換取引の変動要素を相殺する反対取引の一部である第２の交換取引と、当該反対取引の残りである第３の交換取引とに関する交換取引情報の登録処理を、コンピュータに実行させる交換取引情報登録プログラムであって、
前記交換取引情報は、取引元、取引先、売取引、買取引及び取引条件を含み、
前記コンピュータは、前記交換取引情報を記憶する記憶部を有し、
前記ユーザは、前記コンピュータに予め登録されており、
前記取引元を前記ユーザ、前記取引先を前記第１の取引相手、前記売取引を第１の取引、前記買取引を第２の取引及び前記取引条件を第１の交換取引条件とした第１の交換取引情報の入力を受け付ける処理と、
当該受け付けた第１の交換取引情報を前記記憶部に登録する第１の登録処理と、
前記第１の交換取引情報に基づいて、前記第２の交換取引に対応する第２の交換取引情報と、前記第３の交換取引に対応する第３の交換取引情報とを自動生成する処理と、
当該第２の交換取引情報及び当該第３の交換取引情報を前記記憶部に登録する第２の登録処理と、
を備え、
前記第２の登録処理は、
第２の取引相手を前記第２の交換取引の前記取引先とした情報及び第３の取引相手を前記第３の交換取引の前記取引先とした情報の入力を受け付ける処理と、
前記第１の交換取引条件を第１Ａの交換取引条件と第１Ｂの交換取引条件とに所定の比率で分割する処理と、
前記取引先を当該受け付けた第２の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ａの交換取引条件に基づいて決定された第２の交換取引条件として前記第２の交換取引情報を自動生成する処理と、
前記取引先を当該受け付けた第３の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ｂの交換取引条件に基づいて決定された第３の交換取引条件として前記第３の交換取引情報を自動生成する処理と、
を前記コンピュータに実行させる交換取引情報登録プログラム。
【発明の詳細な説明】
【技術分野】
【０００１】
本発明は、交換取引管理装置、交換取引情報登録方法及び交換取引情報登録プログラムに関し、特に、売取引と買取引の組合せである交換取引を管理するための交換取引管理装置、交換取引情報登録方法及び交換取引情報登録プログラムに関する。
【背景技術】
【０００２】
デリバティブ（金融派生商品）取引の一種であるスワップ取引は、一般に等価のキャッシュフローを交換する取引の総称であり、二者間で合意された「ある想定元本に対して異なる指標を適用して計算されたキャッシュフローを一定期間交換すること」を約束した取引をいう。例えば、特許文献１には、一対の取引対象を取引するペアトレードを支援するための技術が開示されている。
【０００３】
また、従来は、金融機関と顧客との間の取引であったものが、近年では、取引形態の多様化等に伴い、金融機関が既に締結したスワップ取引を、別の金融商品として他者との間で取引を締結させるという取引形態が増加しつつある。例えば、まず、ある金融機関が一方の取引相手との間で所定の契約条件の第１のスワップ取引を締結する。次に、当該金融機関は、当該第１のスワップ取引の原資産の変動リスクを移転するために、他方の取引相手を市場等から見つけ出し、当該契約条件を一部変更した第２のスワップ取引を締結することとなる。この場合、第２のスワップ取引を第１のスワップ取引の変動要素を相殺する反対取引ということができる。
【先行技術文献】
【特許文献】
【０００４】
【特許文献１】特開２００４−２０６４７０号公報
【発明の概要】
【発明が解決しようとする課題】
【０００５】
一般に、金融機関は、スワップ取引を含む金融取引に関する取引相手、金額、金利その他の契約条件である取引情報を、独自の情報システムにより管理している。ここで、スワップ取引では、一対の取引の内容を管理する必要があり、通常の取引の内容に比べて一件当たりのデータ量が多い。そして、上述した取引形態による取引を行う場合、各取引相手との取引情報は、情報システム上では独立した取引情報として管理されることとなる。それ故、ユーザによる当該情報システムにおける取引情報の入力量が増大し、ユーザの入力負担が大きいという問題点がある。特に、近年の金融取引の件数の増加や金融商品の複雑化に伴い、さらにこの傾向が高まっている。
【０００６】
ここで、上述した一方の取引相手との間の第１のスワップ取引と、他方の取引相手との間の第２のスワップ取引とは、取引情報に共通点が多い。そのため、ユーザにとっては、重複した内容について一部入れ替えや変更を加えるなど煩雑な作業が多く、作業効率が悪くなる。
【０００７】
本発明は、このような問題を解決するためになされたものであり、一方の取引情報を流用して他方の取引情報を生成することで、ユーザの入力負担を軽減するための交換取引管理装置、交換取引情報登録方法及び交換取引情報登録プログラムを提供することを目的とする。
【課題を解決するための手段】
【０００８】
本発明の第１の態様にかかる交換取引管理装置は、第１の取引相手と第１のユーザとの間で締結された売取引と買取引の組合せである第１の交換取引と、当該第１の交換取引の変動要素を相殺する反対取引である第２の交換取引の管理を行う交換取引管理装置であって、前記第１のユーザは、前記交換取引管理装置に予め登録されており、前記交換取引に関する取引元、取引先、売取引、買取引及び取引条件を含む交換取引情報を記憶する記憶手段と、前記取引元を前記第１のユーザ、前記取引先を前記第１の取引相手、前記売取引を第１の取引、前記買取引を第２の取引及び前記取引条件を第１の交換取引条件とした第１の交換取引情報の入力を受け付け、当該受け付けた第１の交換取引情報を前記記憶手段に登録する第１の登録手段と、第２の取引相手を前記第２の交換取引の前記取引先とした情報の入力を受け付け、前記取引先を当該受け付けた第２の取引相手とし、前記記憶手段に登録された第１の交換取引情報を参照し、前記取引元を前記第１のユーザ、前記売取引を前記第２の取引及び前記買取引を前記第１の取引とし、さらに、前記取引条件を前記第１の交換取引条件に基づいて決定された第２の交換取引条件として第２の交換取引情報を自動生成し、当該第２の交換取引情報を前記記憶手段に登録する第２の登録手段と、を備える。
【０００９】
また、前記第２の登録手段は、予め定められた手数料に基づいて前記第１の交換取引条件を補正して、前記第２の交換取引条件を決定することが望ましい。
【００１０】
さらに、前記第２の取引相手が当該交換取引管理装置に予め登録された第２のユーザである場合に、前記第２の交換取引における取引元と取引先を入れ替えた第３の交換取引に対応する第３の交換取引情報を自動生成する指示を受け付け、前記記憶手段に登録された第２の交換取引情報を参照し、前記取引元を当該第２のユーザ、前記取引先を前記第１のユーザ、前記売取引を前記第１の取引、前記買取引を前記第２の取引及び前記取引条件を前記第２の交換取引条件として前記第３の交換取引情報を自動生成し、当該第３の交換取引情報を前記記憶手段に登録する第３の登録手段をさらに備えることが望ましい。
【００１１】
また、前記交換取引管理装置は、前記第３の交換取引の前記反対取引である第４の交換取引をさらに管理し、第３の取引相手を前記第４の交換取引の前記取引先とした情報の入力を受け付け、前記取引先を当該受け付けた第３の取引相手とし、前記記憶手段に登録された第３の交換取引情報を参照し、前記取引元を前記第２のユーザ、前記売取引を前記第２の取引、前記買取引を前記第１の取引及び前記取引条件を前記第２の交換取引条件として第４の交換取引情報を自動生成し、当該第４の交換取引情報を前記記憶手段に登録する第４の登録手段をさらに備えることが望ましい。
【００１２】
本発明の第２の態様にかかる交換取引管理装置は、第１の取引相手とユーザとの間で締結された売取引と買取引の組合せである第１の交換取引と、第２の取引相手と当該ユーザとの間で締結された第２の交換取引と、当該第１の交換取引及び当該第２の交換取引の変動要素を相殺する反対取引である第３の交換取引の管理を行う交換取引管理装置であって、前記ユーザは、前記交換取引管理装置に予め登録されており、前記交換取引に関する取引元、取引先、売取引、買取引及び取引条件を含む交換取引情報を記憶する記憶手段と、前記取引元を前記ユーザ、前記取引先を前記第１の取引相手、前記売取引を第１の取引、前記買取引を第２の取引及び前記取引条件を第１の交換取引条件とした第１の交換取引情報の入力を受け付け、当該受け付けた第１の交換取引情報を前記記憶手段に登録する第１の登録手段と、前記取引元を前記ユーザ、前記取引先を前記第２の取引相手、前記売取引を前記第１の取引、前記買取引を前記第２の取引及び前記取引条件を前記第２の交換取引条件とした第２の交換取引情報の入力を受け付け、当該受け付けた第２の交換取引情報を前記記憶手段に登録する第２の登録手段と、第３の取引相手を前記第３の交換取引の前記取引先とした情報の入力を受け付け、前記取引先を当該受け付けた第３の取引相手とし、前記記憶手段に登録された第１及び第２の交換取引情報を参照し、前記取引元を前記ユーザとし、さらに、前記売取引を前記第２の取引、前記買取引を前記第１の取引、前記取引条件を前記第１の交換取引条件及び前記第２の交換取引条件を統合した交換取引条件に基づいて決定された第３の交換取引条件として第３の交換取引情報を自動生成し、当該第３の交換取引情報を前記記憶手段に登録する第３の登録手段と、を備える。
【００１３】
本発明の第３の態様にかかる交換取引管理装置は、第１の取引相手とユーザとの間で締結された売取引と買取引の組合せである第１の交換取引と、当該第１の交換取引の変動要素を相殺する反対取引の一部である第２の交換取引と、当該反対取引の残りである第３の交換取引の管理を行う交換取引管理装置であって、前記ユーザは、前記交換取引管理装置に予め登録されており、前記交換取引に関する取引元、取引先、売取引、買取引及び取引条件を含む交換取引情報を記憶する記憶手段と、前記取引元を前記ユーザ、前記取引先を前記第１の取引相手、前記売取引を第１の取引、前記買取引を第２の取引及び前記取引条件を第１の交換取引条件とした第１の交換取引情報の入力を受け付け、当該受け付けた第１の交換取引情報を前記記憶手段に登録する第１の登録手段と、前記第１の交換取引情報に基づいて、前記第２の交換取引に対応する第２の交換取引情報と、前記第３の交換取引に対応する第３の交換取引情報とを自動生成し、当該第２の交換取引情報及び当該第３の交換取引情報を前記記憶手段に登録する第２の登録手段と、を備え、前記第２の登録手段は、第２の取引相手を前記第２の交換取引の前記取引先とした情報及び第３の取引相手を前記第３の交換取引の前記取引先とした情報の入力を受け付け、前記第１の交換取引条件を第１Ａの交換取引条件と第１Ｂの交換取引条件とに所定の比率で分割し、前記取引先を当該受け付けた第２の取引相手とし、前記記憶手段に登録された第１の交換取引情報を参照し、前記取引元を前記ユーザ、前記売取引を前記第２の取引及び前記買取引を前記第１の取引とし、さらに、前記取引条件を前記第１Ａの交換取引条件に基づいて決定された第２の交換取引条件として前記第２の交換取引情報を自動生成し、前記取引先を当該受け付けた第３の取引相手とし、前記記憶手段に登録された第１の交換取引情報を参照し、前記取引元を前記ユーザ、前記売取引を前記第２の取引及び前記買取引を前記第１の取引とし、さらに、前記取引条件を前記第１Ｂの交換取引条件に基づいて決定された第３の交換取引条件として前記第３の交換取引情報を自動生成する。
【００１４】
本発明の第４の態様にかかる交換取引情報登録方法は、第１の取引相手と第１のユーザとの間で締結された売取引と買取引の組合せである第１の交換取引と、当該第１の交換取引の変動要素を相殺する反対取引である第２の交換取引とに関する交換取引情報を、コンピュータを用いて登録するための交換取引情報登録方法であって、前記交換取引情報は、取引元、取引先、売取引、買取引及び取引条件を含み、前記コンピュータは、前記交換取引情報を記憶する記憶部を有し、前記第１のユーザは、前記コンピュータに予め登録されており、前記取引元を前記第１のユーザ、前記取引先を前記第１の取引相手、前記売取引を第１の取引、前記買取引を第２の取引及び前記取引条件を第１の交換取引条件とした第１の交換取引情報の入力を受け付けるステップと、当該受け付けた第１の交換取引情報を前記記憶部に登録する第１の登録ステップと、第２の取引相手を前記第２の交換取引の前記取引先とした情報の入力を受け付けるステップと、前記取引先を当該受け付けた第２の取引相手とし、前記記憶部に登録された第１の交換取引情報を参照し、前記取引元を前記第１のユーザ、前記売取引を前記第２の取引及び前記買取引を前記第１の取引とし、さらに、前記取引条件を前記第１の交換取引条件に基づいて決定された第２の交換取引条件として第２の交換取引情報を自動生成するステップと、当該第２の交換取引情報を前記記憶部に登録する第２の登録ステップと、を備える。
【００１５】
本発明の第５の態様にかかる交換取引情報登録方法は、第１の取引相手とユーザとの間で締結された売取引と買取引の組合せである第１の交換取引と、第２の取引相手と当該ユーザとの間で締結された第２の交換取引と、当該第１の交換取引及び当該第２の交換取引の変動要素を相殺する反対取引である第３の交換取引とに関する交換取引情報を、コンピュータを用いて登録するための交換取引情報登録方法であって、前記交換取引情報は、取引元、取引先、売取引、買取引及び取引条件を含み、前記コンピュータは、前記交換取引情報を記憶する記憶部を有し、前記ユーザは、前記コンピュータに予め登録されており、前記取引元を前記ユーザ、前記取引先を前記第１の取引相手、前記売取引を第１の取引、前記買取引を第２の取引及び前記取引条件を第１の交換取引条件とした第１の交換取引情報の入力を受け付けるステップと、当該受け付けた第１の交換取引情報を前記記憶部に登録する第１の登録ステップと、前記取引元を前記ユーザ、前記取引先を前記第２の取引相手、前記売取引を前記第１の取引、前記買取引を前記第２の取引及び前記取引条件を第２の交換取引条件とした第２の交換取引情報の入力を受け付けるステップと、当該受け付けた第２の交換取引情報を前記記憶部に登録する第２の登録ステップと、第３の取引相手を前記第３の交換取引の前記取引先とした情報の入力を受け付けるステップと、前記取引先を当該受け付けた第３の取引相手とし、前記記憶部に登録された第１及び第２の交換取引情報を参照し、前記取引元を前記ユーザとし、さらに、前記売取引を前記第２の取引、前記買取引を前記第１の取引、前記取引条件を前記第１の交換取引条件及び前記第２の交換取引条件を統合した交換取引条件に基づいて決定された第３の交換取引条件として第３の交換取引情報を自動生成するステップと、当該第３の交換取引情報を前記記憶部に登録する第３の登録ステップと、を備える。
【００１６】
本発明の第６の態様にかかる交換取引情報登録方法は、第１の取引相手とユーザとの間で締結された売取引と買取引の組合せである第１の交換取引と、当該第１の交換取引の変動要素を相殺する反対取引の一部である第２の交換取引と、当該反対取引の残りである第３の交換取引とに関する交換取引情報を、コンピュータを用いて登録するための交換取引情報登録方法であって、前記交換取引情報は、取引元、取引先、売取引、買取引及び取引条件を含み、前記コンピュータは、前記交換取引情報を記憶する記憶部を有し、前記ユーザは、前記コンピュータに予め登録されており、前記取引元を前記ユーザ、前記取引先を前記第１の取引相手、前記売取引を第１の取引、前記買取引を第２の取引及び前記取引条件を第１の交換取引条件とした第１の交換取引情報の入力を受け付けるステップと、当該受け付けた第１の交換取引情報を前記記憶部に登録する第１の登録ステップと、前記第１の交換取引情報に基づいて、前記第２の交換取引に対応する第２の交換取引情報と、前記第３の交換取引に対応する第３の交換取引情報とを自動生成するステップと、当該第２の交換取引情報及び当該第３の交換取引情報を前記記憶部に登録する第２の登録ステップと、を備え、前記第２の登録ステップは、第２の取引相手を前記第２の交換取引の前記取引先とした情報及び第３の取引相手を前記第３の交換取引の前記取引先とした情報の入力を受け付けるステップと、前記第１の交換取引条件を第１Ａの交換取引条件と第１Ｂの交換取引条件とに所定の比率で分割するステップと、前記取引先を当該受け付けた第２の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ａの交換取引条件に基づいて決定された第２の交換取引条件として前記第２の交換取引情報を自動生成するステップと、前記取引先を当該受け付けた第３の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ｂの交換取引条件に基づいて決定された第３の交換取引条件として前記第３の交換取引情報を自動生成するステップと、を含む。
【００１７】
本発明の第７の態様にかかる交換取引情報登録プログラムは、第１の取引相手と第１のユーザとの間で締結された売取引と買取引の組合せである第１の交換取引と、当該第１の交換取引の変動要素を相殺する反対取引である第２の交換取引とに関する交換取引情報の登録処理を、コンピュータに実行させる交換取引情報登録プログラムであって、前記交換取引情報は、取引元、取引先、売取引、買取引及び取引条件を含み、前記コンピュータは、前記交換取引情報を記憶する記憶部を有し、前記第１のユーザは、前記コンピュータに予め登録されており、前記取引元を前記第１のユーザ、前記取引先を前記第１の取引相手、前記売取引を第１の取引、前記買取引を第２の取引及び前記取引条件を第１の交換取引条件とした第１の交換取引情報の入力を受け付ける処理と、当該受け付けた第１の交換取引情報を前記記憶部に登録する第１の登録処理と、第２の取引相手を前記第２の交換取引の前記取引先とした情報の入力を受け付ける処理と、前記取引先を当該受け付けた第２の取引相手とし、前記記憶部に登録された第１の交換取引情報を参照し、前記取引元を前記第１のユーザ、前記売取引を前記第２の取引及び前記買取引を前記第１の取引とし、さらに、前記取引条件を前記第１の交換取引条件に基づいて決定された第２の交換取引条件として第２の交換取引情報を自動生成する処理と、当該第２の交換取引情報を前記記憶部に登録する第２の登録処理と、を前記コンピュータに実行させる。
【００１８】
本発明の第８の態様にかかる交換取引情報登録プログラムは、第１の取引相手とユーザとの間で締結された売取引と買取引の組合せである第１の交換取引と、第２の取引相手と当該ユーザとの間で締結された第２の交換取引と、当該第１の交換取引及び当該第２の交換取引の変動要素を相殺する反対取引である第３の交換取引とに関する交換取引情報の登録処理を、コンピュータに実行させる交換取引情報登録プログラムであって、前記交換取引情報は、取引元、取引先、売取引、買取引及び取引条件を含み、前記コンピュータは、前記交換取引情報を記憶する記憶部を有し、前記ユーザは、前記コンピュータに予め登録されており、前記取引元を前記ユーザ、前記取引先を前記第１の取引相手、前記売取引を第１の取引、前記買取引を第２の取引及び前記取引条件を第１の交換取引条件とした第１の交換取引情報の入力を受け付ける処理と、当該受け付けた第１の交換取引情報を前記記憶部に登録する第１の登録処理と、前記取引元を前記ユーザ、前記取引先を前記第２の取引相手、前記売取引を前記第１の取引、前記買取引を前記第２の取引及び前記取引条件を第２の交換取引条件とした第２の交換取引情報の入力を受け付ける処理と、当該受け付けた第２の交換取引情報を前記記憶部に登録する第２の登録処理と、第３の取引相手を前記第３の交換取引の前記取引先とした情報の入力を受け付ける処理と、前記取引先を当該受け付けた第３の取引相手とし、前記記憶部に登録された第１及び第２の交換取引情報を参照し、前記取引元を前記ユーザとし、さらに、前記売取引を前記第２の取引、前記買取引を前記第１の取引、前記取引条件を前記第１の交換取引条件及び前記第２の交換取引条件を統合した交換取引条件に基づいて決定された第３の交換取引条件として第３の交換取引情報を自動生成する処理と、当該第３の交換取引情報を前記記憶部に登録する第３の登録処理と、を前記コンピュータに実行させる。
【００１９】
本発明の第９の態様にかかる交換取引情報登録プログラムは、第１の取引相手とユーザとの間で締結された売取引と買取引の組合せである第１の交換取引と、当該第１の交換取引の変動要素を相殺する反対取引の一部である第２の交換取引と、当該反対取引の残りである第３の交換取引とに関する交換取引情報の登録処理を、コンピュータに実行させる交換取引情報登録プログラムであって、前記交換取引情報は、取引元、取引先、売取引、買取引及び取引条件を含み、前記コンピュータは、前記交換取引情報を記憶する記憶部を有し、前記ユーザは、前記コンピュータに予め登録されており、前記取引元を前記ユーザ、前記取引先を前記第１の取引相手、前記売取引を第１の取引、前記買取引を第２の取引及び前記取引条件を第１の交換取引条件とした第１の交換取引情報の入力を受け付ける処理と、当該受け付けた第１の交換取引情報を前記記憶部に登録する第１の登録処理と、前記第１の交換取引情報に基づいて、前記第２の交換取引に対応する第２の交換取引情報と、前記第３の交換取引に対応する第３の交換取引情報とを自動生成する処理と、当該第２の交換取引情報及び当該第３の交換取引情報を前記記憶部に登録する第２の登録処理と、を備え、前記第２の登録処理は、第２の取引相手を前記第２の交換取引の前記取引先とした情報及び第３の取引相手を前記第３の交換取引の前記取引先とした情報の入力を受け付ける処理と、前記第１の交換取引条件を第１Ａの交換取引条件と第１Ｂの交換取引条件とに所定の比率で分割する処理と、前記取引先を当該受け付けた第２の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ａの交換取引条件に基づいて決定された第２の交換取引条件として前記第２の交換取引情報を自動生成する処理と、前記取引先を当該受け付けた第３の取引相手とし、前記記憶部に登録された第１の交換取引情報を参照し、前記取引元を前記ユーザ、前記売取引を前記第２の取引及び前記買取引を前記第１の取引とし、さらに、前記取引条件を前記第１Ｂの交換取引条件に基づいて決定された第３の交換取引条件として前記第３の交換取引情報を自動生成する処理と、を前記コンピュータに実行させる。
【発明の効果】
【００２０】
本発明によれば、一方の取引情報を流用して他方の取引情報を生成することで、ユーザの入力負担を軽減するための交換取引管理装置、交換取引情報登録方法及び交換取引情報登録プログラムを提供することができる。
【図面の簡単な説明】
【００２１】
【図１】本発明の実施の形態１にかかる交換取引管理システムの全体構成を示すブロック図である。
【図２】本発明の実施の形態１にかかる交換取引のシナリオの概念を説明するための図である。
【図３】本発明の実施の形態１にかかる交換取引情報の例を示す図である。
【図４】本発明の実施の形態１にかかる交換取引情報登録処理の流れを示すシーケンス図である。
【図５】本発明の実施の形態２にかかる交換取引のシナリオ（統合）の概念を説明するための図である。
【図６】本発明の実施の形態２にかかる交換取引情報の例を示す図である。
【図７】本発明の実施の形態２にかかる交換取引情報登録処理の流れを示すシーケンス図である。
【図８】本発明の実施の形態３にかかる交換取引のシナリオ（分割）の概念を説明するための図である。
【図９】本発明の実施の形態３にかかる交換取引情報の例を示す図である。
【図１０】本発明の実施の形態３にかかる交換取引情報登録処理の流れを示すシーケンス図である。
【発明を実施するための形態】
【００２２】
以下では、本発明を適用した具体的な実施の形態について、図面を参照しながら詳細に説明する。各図面において、同一要素には同一の符号が付されており、説明の明確化のため、必要に応じて重複説明は省略する。
【００２３】
＜発明の実施の形態１＞
図１は、本発明の実施の形態１にかかる交換取引管理システム１００の全体構成を示すブロック図である。交換取引管理システム１００は、金融機関等が運用し、売取引と買取引の組合せである交換取引の管理を行う情報システムである。交換取引管理システム１００は、ネットワークＮを介して、交換取引管理装置２と端末１１１、１１２、１２１、１２２、１３１及び１３２とが接続されている。ここで、ネットワークＮは、インターネット、公衆網、専用線及び移動体通信網等の通信ネットワークである。
【００２４】
拠点Ｂ１、Ｂ２及びＢ３は、当該金融機関における本支店が所在する都市に対応する。拠点Ｂ１〜Ｂ３は、それぞれ異なる都市であり、例えば、東京、ニューヨーク、ロンドン等の様々な都市が該当する。拠点Ｂ１には、少なくとも部署ＳＢ１１及びＳＢ１２という複数の部署が存在し、各部署に属するユーザが使用する端末が異なるものとする。例えば、部署ＳＢ１１に属するユーザは端末１１１を使用し、部署ＳＢ１２に属するユーザは端末１１２を使用するものとする。同様に、拠点Ｂ２においては、部署ＳＢ２１及びＳＢ２２が存在し、部署ＳＢ２１に属するユーザは端末１２１を使用し、部署ＳＢ２２に属するユーザは端末１２２を使用するものとする。また、拠点Ｂ３においては、部署ＳＢ３１及びＳＢ３２が存在し、部署ＳＢ３１に属するユーザは端末１３１を使用し、部署ＳＢ３２に属するユーザは端末１３２を使用するものとする。尚、当該金融機関は、少なくとも１以上の拠点を有していればよい。また、各拠点は、少なくとも１以上の部署が存在すればよく、所属するユーザ及び端末も少なくとも１以上であればよい。
【００２５】
端末１１１、１１２、１２１、１２２、１３１及び１３２（以下、「端末１１１等」と呼ぶ。）は、キーボードやマウス等の入力装置（不図示）と、画面等の表示装置（不図示）とを備える端末装置である。例えば、端末１１１等は、通信機能を備え、ネットワークＮを介して交換取引管理装置２へアクセス可能なアプリケーションが実行可能なコンピュータ装置であるとよい。
【００２６】
交換取引管理装置２は、交換取引にかかる交換取引情報の受付、生成、登録、更新及び削除の処理を行うコンピュータ装置である。尚、交換取引管理装置２は、複数台のコンピュータ装置を用いて実現しても構わない。交換取引管理装置２は、制御部２１と、記憶部２２とを備える。
【００２７】
記憶部２２は、交換取引情報２２１、ユーザ情報２２２、拠点情報２２３、顧客情報２２４、金融機関情報２２５、手数料情報２２６及び金利情報２２７を記憶する記憶装置である。記憶部２２は、ハードディスクドライブ、フラッシュメモリ等の不揮発性の記憶装置であることが望ましい。
【００２８】
交換取引情報２２１は、売取引と買取引の組合せである交換取引を管理するための情報である。ユーザ情報２２２は、交換取引管理装置２にアクセス可能なユーザの識別情報であるユーザＩＤや各識別情報に対応するパスワード等を含む。ユーザＩＤは、所属する拠点に関する拠点情報２２３に関連付けられている。拠点情報２２３は、拠点Ｂ１、Ｂ２及びＢ３等の各拠点に関する情報と、各拠点に属する部署に関する情報である。ここで、拠点情報２２３に含まれる各部署に属するユーザは、交換取引の取引相手となり得る。顧客情報２２４は、交換取引の取引相手となり得る顧客に関する情報である。顧客情報２２４は、顧客の識別情報の他、所在地等や信用度等の情報を含む。金融機関情報２２５は、交換取引の取引相手となり得る金融機関に関する情報である。手数料情報２２６は、当該金融機関において交換取引の原資産の変動リスクを移転する際に発生する手数料に関する情報である。手数料情報２２６は、金利により表現してもよい。金利情報２２７は、交換取引を金利のスワップ取引とする場合等に用いられる固定金利、日々変動する市場金利、変動金利でスワップ取引を行う際の金利及び手数料情報２２６に基づく手数料相当の金利等を含む。
【００２９】
ここで、交換取引情報２２１は、少なくとも取引元情報２３１、取引先情報２３２、売取引情報２３３、買取引情報２３４及び交換取引条件情報２３５を含む。取引元情報２３１は、交換取引における取引元に対応する識別情報である。取引先情報２３２は、交換取引における取引先に対応する識別情報である。取引元情報２３１及び取引先情報２３２は、ユーザ情報２２２、拠点情報２２３、顧客情報２２４及び金融機関情報２２５のいずれかの識別情報が用いられる。売取引情報２３３は、交換取引における売取引に対応する情報である。売取引とは、取引元から取引先に対して債権を譲渡する取引である。買取引情報２３４は、交換取引における買取引に対応する情報である。買取引とは、取引先から取引元に対して債権を譲渡する取引である。売取引情報２３３及び買取引情報２３４は、例えば、交換取引を金利のスワップ取引とする場合、固定金利である旨や変動金利である旨を示す情報である。交換取引条件情報２３５は、交換取引における各種条件に関する情報である。例えば、交換取引条件情報２３５は、売取引条件情報、買取引条件情報及び共通取引条件情報等がある。売取引条件情報は、売取引情報２３３における具体的な条件であり、買取引条件情報は、買取引情報２３４における具体的な条件である。例えば、売取引条件情報及び買取引条件情報は、固定金利である場合には具体的な金利、変動金利である場合には市場金利と加減算される金利等である。共通取引条件情報は、売取引情報２３３及び買取引情報２３４に共通する取引条件である。例えば、共通取引条件情報は、交換取引における元本の金額や契約期間等である。尚、交換取引情報２２１には、対象とする金融取引に応じて、上述した以外の様々な情報を含むものであって構わない。
【００３０】
制御部２１は、例えばＣＰＵ（Central Processing Unit）等の制御装置である。制御部２１は、端末１１１等から交換取引情報２２１を受け付けた場合、受け付けた交換取引情報２２１を記憶部２２に登録する。また、制御部２１は、端末１１１等から記憶部２２に登録済みの交換取引情報２２１が指定された上で、任意の識別情報を取引先とした情報の入力を受け付けた場合、当該入力された識別情報を取引先情報２３２とした新たな交換取引情報２２１を生成する。このとき、制御部２１は、指定された交換取引情報２２１を記憶部２２から読み出し、読み出した交換取引情報２２１における取引元情報２３１をそのまま新たな交換取引情報における取引元情報２３１とし、売取引情報２３３と買取引情報２３４とを入れ替え、読み出した交換取引情報２２１における交換取引条件情報２３５に基づいて決定された交換取引条件情報を用いて新たな交換取引情報を生成し、記憶部２２に登録する。さらに、制御部２１は、手数料情報２２６に基づいて交換取引条件情報を補正して新たな交換取引条件情報を決定することが望ましい。
【００３１】
また、交換取引管理装置２は、図示しない構成として、ＲＡＭ（Random Access Memory）及びＲＯＭ（Read Only Memory）等のメモリや、ネットワークＮを介して端末１１１等とデータの送受信を行うための通信部を備える。記憶部２２には、ＯＳ（Operating System）及び本発明の実施の形態１にかかる交換取引情報登録プログラムが記憶されている。ここで、交換取引情報登録プログラムは、端末１１１等からの処理要求に応じて記憶部２２へのアクセスを制御し、応答結果を要求元へ返信する処理が実装されたコンピュータプログラムである。また、交換取引情報登録プログラムは、端末１１１等からの登録要求に応じて、交換取引情報２２１の各項目の入力欄を設けた登録画面を生成し、要求元である端末１１１等へ送信する。そして、交換取引情報登録プログラムは、端末１１１等により入力欄に入力された各項目に基づいた交換取引情報２２１を記憶部２２に登録する。尚、ＯＳは、周知のコンピュータプログラムであるため、説明を省略する。
【００３２】
制御部２１は、交換取引管理装置２における各種処理、メモリ、通信部及びハードディスクへのアクセス等を制御する。交換取引管理装置２は、制御部２１がハードディスクに記憶されたＯＳ及び交換取引情報登録プログラムを読み込み、実行する。これにより、交換取引管理装置２は、後述する本発明の実施の形態１にかかる交換取引情報登録処理を実現する。
【００３３】
図２は、本発明の実施の形態１にかかる交換取引のシナリオの概念を説明するための図である。尚、図２は契約としての取引と当該取引を管理するためのデータとの対応関係を説明するための概念図である。また、ユーザＵ１及びＵ２は共に拠点Ｂ１に所属するものとし、ユーザＵ１及びＵ２並びに取引相手Ｃ１及びＣ２の識別情報は、それぞれ、記憶部２２のユーザ情報２２２及び顧客情報２２４として登録済みであるものとする。
【００３４】
図２の交換取引のシナリオは、まず、第１の取引相手Ｃ１と第１のユーザＵ１との間で売取引と買取引の組合せである第１の交換取引ＴＡを締結するものとする。次に、ユーザＵ１が第１の交換取引ＴＡの原資産の変動リスクを第２の取引相手へ移転するために、第１の交換取引ＴＡの変動要素を相殺する反対取引である第２の交換取引ＴＢをユーザＵ１とユーザＵ２との間で締結するものとする。そして、第２の取引相手Ｕ２が交換取引管理装置２の記憶部２２に予め登録された第２のユーザであるため、第２の交換取引ＴＢにおける取引元と取引先を入れ替えた第３の交換取引ＴＣをユーザＵ２とユーザＵ１との間で締結するものとする。その後、第３の交換取引ＴＣについての反対取引である第４の交換取引ＴＤをユーザＵ２と第３の取引相手Ｃ２との間で締結するものとする。ここで、反対取引は、元の取引（例えば、第１の交換取引ＴＡ）の変動要素を完全に相殺しなくても構わない。例えば、反対取引は、元の取引の原資産のうち少なくとも一部についての変動要素を相殺するものであっても構わない。または、反対取引は、変動要素の一部を相殺するものであっても構わない。
【００３５】
ここで、交換取引ＴＡは、ユーザＵ１の立場からは、固定金利の売取引ＴＡＰＸと変動金利の買取引ＴＡＲＹとの交換取引といえる。また、交換取引ＴＢは、ユーザＵ１が有する交換取引ＴＡの原資産の変動リスクをユーザＵ２へ移転したものである。交換取引ＴＢは、ユーザＵ１の立場から見たものであり、固定金利の買取引ＴＢＲＸと変動金利の売取引ＴＢＰＹとの交換取引といえる。但し、ユーザＵ１は移転手数料として、金利β分を差し引くものとする。つまり、売取引ＴＢＰＹは、買取引ＴＡＲＹに比べて金利β分が少ない取引とする。
【００３６】
また、交換取引ＴＢと同一の取引である交換取引ＴＣは、ユーザＵ２の立場から見たものであり、固定金利の売取引ＴＣＰＸと変動金利の買取引ＴＣＲＹとの交換取引といえる。さらに、交換取引ＴＤは、ユーザＵ２が有する交換取引ＴＣの原資産の変動リスクを取引相手Ｃ２へ移転したものである。交換取引ＴＤは、ユーザＵ２の立場から見たものであり、固定金利の買取引ＴＤＲＸと変動金利の売取引ＴＤＰＹとの交換取引といえる。
【００３７】
ここで、交換取引ＴＡの売取引ＴＡＰＸ、交換取引ＴＢの買取引ＴＢＲＸ、交換取引ＴＣの売取引ＴＣＰＸ及び交換取引ＴＤの買取引ＴＤＲＸは、同等の経済価値を有する取引である。同様に、交換取引ＴＢの売取引ＴＢＰＹ、交換取引ＴＣの買取引ＴＣＲＹ及び交換取引ＴＤの売取引ＴＤＰＹは、同等の経済価値を有する取引である。
【００３８】
また、記憶部２２に登録される交換取引情報ＴＣＡは交換取引ＴＡに対応し、交換取引情報ＴＣＢは交換取引ＴＢに対応し、交換取引情報ＴＣＣは交換取引ＴＣに対応し、交換取引情報ＴＣＤは交換取引ＴＤに対応する。特に、ユーザＵ１とユーザＵ２は共に拠点Ｂ１に所属するユーザであるため、双方の立場からの交換取引情報の登録が必要となる。図３は、本発明の実施の形態１にかかる交換取引情報ＴＣＡ、ＴＣＢ、ＴＣＣ及びＴＣＤの例を示す図である。
【００３９】
図４は、図２のシナリオに沿った場合の本発明の実施の形態１にかかる交換取引情報登録処理の流れを示すシーケンス図である。ここでは、ユーザＵ１が端末１１１を操作し、ユーザＵ２が端末１１２を操作するものとする。
【００４０】
まず、端末１１１は、交換取引情報ＴＣＡの登録要求を交換取引管理装置２へ送信する（Ｓ１０１）。例えば、まず、端末１１１は、交換取引管理装置２に対して登録開始要求を送信し、交換取引管理装置２は、当該登録開始要求に応じて、取引元情報２３１、取引先情報２３２、売取引情報２３３、買取引情報２３４及び交換取引条件情報２３５の入力欄と、登録ボタンとを含む登録画面を生成し、要求元である端末１１１へ返信する。そして、端末１１１は、受信した登録画面を表示装置に表示し、図３の交換取引情報ＴＣＡに対応する情報の入力をユーザＵ１から受け付け、ユーザＵ１による登録ボタンの押下に応じて、入力欄の各情報を含めた登録要求を交換取引管理装置２へ送信する。
【００４１】
次に、交換取引管理装置２の制御部２１は、端末１１１から交換取引情報ＴＣＡを受け付け、交換取引情報ＴＣＡを記憶部２２に登録する（Ｓ１０２）。つまり、制御部２１は、受け付けた登録要求に含まれる各情報をそのまま交換取引情報ＴＣＡの各項目として、記憶部２２に格納する。例えば、制御部２１は、取引元情報２３１をユーザＵ１の識別情報、取引先情報２３２を取引相手Ｃ１の識別情報、売取引情報２３３を固定金利である旨を示す情報（以下、「"固定金利"」と呼ぶ。）、買取引情報２３４を変動金利である旨を示す情報（以下、「"変動金利"」と呼ぶ。）、交換取引条件情報２３５の売取引条件情報を"ｎ％"、買取引条件情報を"市場金利＋金利α＋金利β"及び共通取引条件情報を"取引額Ｍ"及び"期間Ｐ"等とした交換取引情報ＴＣＡを記憶部２２に格納する。
【００４２】
続いて、端末１１１は、ユーザＵ２を取引先とした情報の登録要求を交換取引管理装置２へ送信する（Ｓ１０３）。例えば、交換取引管理装置２は、交換取引情報ＴＣＡの内容の表示と、取引先の入力欄と、登録ボタンとを含めて新たな登録画面を生成し、交換取引情報ＴＣＡの登録完了の旨と、当該新たな登録画面とを端末１１１へ送信する。そして、端末１１１は、受信した新たな登録画面を表示装置に表示する。端末１１１は、ユーザＵ２の識別情報を取引先としたユーザＵ１からの入力を受け付け、ユーザＵ１による登録ボタンの押下に応じて、交換取引情報ＴＣＡに基づきユーザＵ２を取引先とした交換取引情報を生成するための指示を登録要求として交換取引管理装置２へ送信する。
【００４３】
次に、制御部２１は、端末１１１からステップＳ１０３の登録要求を受け付ける。すなわち、制御部２１は、ユーザＵ２を交換取引ＴＢの取引先とした情報の入力を受け付ける。そして、制御部２１は、記憶部２２に登録された交換取引情報ＴＣＡを参照し（Ｓ１０４）、交換取引情報ＴＣＢを生成する（Ｓ１０５）。このとき、制御部２１は、取引先情報２３２をユーザＵ２の識別情報として設定する。また、制御部２１は、取引元情報２３１を交換取引情報ＴＣＡと同値であるユーザＵ１の識別情報として設定する。続いて、制御部２１は、売取引情報２３３及び買取引情報２３４については交換取引情報ＴＣＡと入れ替えて、売取引情報２３３を"変動金利"及び買取引情報２３４を"固定金利"として設定する。さらに、制御部２１は、交換取引情報ＴＣＡの交換取引条件情報２３５に基づいて交換取引情報ＴＣＢの交換取引条件を決定し、交換取引条件情報２３５を当該決定した交換取引条件として設定する。このとき、制御部２１は、手数料情報２２６に基づき交換取引情報ＴＣＡの買取引条件"市場金利＋金利α＋金利β"から金利βを差し引いて"市場金利＋金利α"を交換取引情報ＴＣＢの売取引条件として決定する。また、制御部２１は、交換取引情報ＴＣＡの売取引条件"ｎ％"を交換取引情報ＴＣＢの買取引条件とし、共通取引条件を交換取引情報ＴＣＡと同値である"取引額Ｍ"及び"期間Ｐ"とする。このようにして、制御部２１は、交換取引情報ＴＣＢを自動生成する。その後、制御部２１は、交換取引情報ＴＣＢを記憶部２２に登録する（Ｓ１０６）。
【００４４】
このように、ステップＳ１０１〜Ｓ１０６により、交換取引管理装置２は、登録済みの交換取引情報ＴＣＡと、ユーザＵ２を取引先とした情報の入力とを用いて交換取引情報ＴＣＢを自動生成することができる。そのため、交換取引情報ＴＣＢの登録において、ユーザの入力負担を軽減することができる。
【００４５】
続いて、端末１１２は、交換取引情報ＴＣＢの取引元と取引先を入れ替えた交換取引情報の生成要求を交換取引管理装置２へ送信する（Ｓ１０７）。例えば、端末１１２は、交換取引管理装置２に対して登録開始要求を送信し、交換取引管理装置２は、当該登録開始要求に応じて、登録済みの交換取引情報２２１の選択欄と、入替ボタンとを含む登録画面を生成し、要求元である端末１１２へ返信する。そして、端末１１２は、受信した登録画面を表示装置に表示し、選択欄から交換取引情報ＴＣＢを選択する入力をユーザＵ２から受け付け、ユーザＵ２による入替ボタンの押下に応じて、当該生成要求を交換取引管理装置２へ送信する。
【００４６】
次に、制御部２１は、端末１１２からステップＳ１０７の生成要求を受け付ける。すなわち、制御部２１は、交換取引ＴＢにおける取引元と取引先を入れ替えた交換取引ＴＣに対応する交換取引情報ＴＣＣを自動生成する指示を受け付ける。そして、制御部２１は、記憶部２２に登録された交換取引情報ＴＣＢを参照し（Ｓ１０８）、交換取引情報ＴＣＣを生成する（Ｓ１０９）。このとき、制御部２１は、取引元情報２３１及び取引先情報２３２について、交換取引情報ＴＣＢと入れ替えて、取引元情報２３１をユーザＵ２の識別情報及び取引先情報２３２をユーザＵ１の識別情報として設定する。また、制御部２１は、売取引情報２３３及び買取引情報２３４について、交換取引情報ＴＣＢと入れ替えて、売取引情報２３３を"固定金利"及び買取引情報２３４を"変動金利"として設定する。さらに、制御部２１は、売取引条件及び買取引条件について、交換取引情報ＴＣＢと入れ替えて、売取引条件を"ｎ％"及び買取引条件を"市場金利＋金利α"として設定する。また、制御部２１は、共通取引条件を交換取引情報ＴＣＢと同値である"取引額Ｍ"及び"期間Ｐ"とする。このようにして、制御部２１は、交換取引情報ＴＣＣを自動生成する。その後、制御部２１は、交換取引情報ＴＣＣを記憶部２２に登録する（Ｓ１１０）。
【００４７】
このように、ステップＳ１０７〜Ｓ１１０により、交換取引管理装置２は、登録済みの交換取引情報ＴＣＢを用いて、取引元と取引先を入れ替える指示により交換取引情報ＴＣＣを自動生成することができる。そのため、交換取引情報ＴＣＣの登録において、ユーザの入力負担をさらに軽減することができる。
【００４８】
続いて、端末１１２は、取引相手Ｃ２を取引先とした情報の登録要求を交換取引管理装置２へ送信する（Ｓ１１１）。尚、具体的な処理は、ステップＳ１０３と同等であるため、詳細な説明を省略する。
【００４９】
次に、制御部２１は、端末１１２からステップＳ１１１の登録要求を受け付ける。すなわち、制御部２１は、取引相手Ｃ２を交換取引ＴＤの取引先とした情報の入力を受け付ける。そして、制御部２１は、記憶部２２に登録された交換取引情報ＴＣＣを参照し（Ｓ１１２）、交換取引情報ＴＣＤを生成する（Ｓ１１３）。このとき、制御部２１は、取引先情報２３２を取引相手Ｃ２の識別情報として設定する。また、制御部２１は、取引元情報２３１を交換取引情報ＴＣＣと同値であるユーザＵ２の識別情報として設定する。続いて、制御部２１は、売取引情報２３３及び買取引情報２３４について、交換取引情報ＴＣＣと入れ替えて、売取引情報２３３を"変動金利"及び買取引情報２３４を"固定金利"として設定する。さらに、制御部２１は、売取引条件及び買取引条件について、交換取引情報ＴＣＣと入れ替えて、売取引条件を"市場金利＋金利α"及び買取引条件を"ｎ％"として設定する。また、制御部２１は、共通取引条件を交換取引情報ＴＣＣと同値である"取引額Ｍ"及び"期間Ｐ"とする。このようにして、制御部２１は、交換取引情報ＴＣＤを自動生成する。その後、制御部２１は、交換取引情報ＴＣＤを記憶部２２に登録する（Ｓ１１４）。
【００５０】
このように、ステップＳ１１１〜Ｓ１１４により、交換取引管理装置２は、登録済みの交換取引情報ＴＣＣと、取引相手Ｃ２を取引先とした情報の入力とを用いて交換取引情報ＴＣＤを自動生成することができる。そのため、交換取引情報ＴＣＤの登録において、ユーザの入力負担をさらに軽減することができる。
【００５１】
また、予め手数料情報２２６を設定しておくことにより、交換取引管理装置２は、交換取引情報ＴＣＢ〜ＴＣＤの交換取引条件情報２３５について手数料を加味して自動で補正することができる。このため、ユーザが個別に修正を行う必要がなくなり、さらに入力負担を軽減することができる。
【００５２】
以上のことから、本発明の実施の形態１により、一方の取引情報を流用して他方の取引情報を生成することで、ユーザの入力負担を軽減することができる。
【００５３】
＜発明の実施の形態２＞
本発明の実施の形態２では、複数の交換取引情報を統合して一つの交換取引情報を自動生成及び登録するものである。尚、本発明の実施の形態２にかかる交換取引管理システムは、図１の交換取引管理システム１００と同等であるため、図示及び説明を省略する。
【００５４】
図５は、本発明の実施の形態２にかかる交換取引のシナリオ（統合）の概念を説明するための図である。尚、ユーザＵ１は拠点Ｂ１に所属するものとし、ユーザＵ１並びに取引相手Ｃ１１、Ｃ１２及びＣ２の識別情報は、それぞれ、記憶部２２のユーザ情報２２２及び顧客情報２２４として登録済みであるものとする。
【００５５】
図５の交換取引のシナリオは、まず、第１の取引相手Ｃ１１とユーザＵ１との間で売取引と買取引の組合せである第１の交換取引ＴＡ１を締結し、また、第２の取引相手Ｃ１２と当該ユーザＵ１との間で第２の交換取引ＴＡ２を締結するものとする。そして、当該ユーザＵ１が第１の交換取引ＴＡ１及び第２の交換取引ＴＡ２の原資産の変動リスクを第３の取引相手Ｃ２へ移転するために、第１の交換取引ＴＡ１及び第２の交換取引ＴＡ２の変動要素を相殺する反対取引である第３の交換取引ＴＢ０をユーザＵ１と第３の取引相手Ｃ２との間で締結するものとする。
【００５６】
ここで、交換取引ＴＡ１は、ユーザＵ１の立場からは、固定金利の売取引ＴＡ１ＰＸと変動金利の買取引ＴＡ１ＲＹとの交換取引といえる。また、交換取引ＴＡ２は、ユーザＵ１の立場からは、固定金利の売取引ＴＡ２ＰＸと変動金利の買取引ＴＡ２ＲＹとの交換取引といえる。尚、交換取引ＴＡ１とＴＡ２とは、元本金額が異なるもののその他の取引条件については同じであるものとする。
【００５７】
ここで、交換取引ＴＢ０は、ユーザＵ１が有する交換取引ＴＡ１及びＴＡ２の原資産の変動リスクを取引相手Ｃ２へ移転したものである。交換取引ＴＢ０は、ユーザＵ１の立場から見たものであり、固定金利の買取引ＴＢ０ＲＸと変動金利の売取引ＴＢ０ＰＹとの交換取引といえる。但し、売取引ＴＢ０ＰＹは、買取引ＴＡ１ＲＹ及びＴＡ２ＲＹを統合した取引に比べて金利β分が少ない取引とする。そして、交換取引ＴＢ０の元本金額は、交換取引ＴＡ１及びＴＡ２の元本金額を合算したものであるものとする。そのため、交換取引ＴＡ１の売取引ＴＡ１ＰＸと交換取引ＴＡ２の売取引ＴＡ２ＰＸとを統合した取引は、交換取引ＴＢ０の買取引ＴＢ０ＲＸと同等の経済価値を有する取引である。
【００５８】
また、記憶部２２に登録される交換取引情報ＴＣＡ１は交換取引ＴＡ１に対応し、交換取引情報ＴＣＡ２は交換取引ＴＡ２に対応し、交換取引情報ＴＣＢ０は交換取引ＴＢ０に対応する。図６は、本発明の実施の形態２にかかる交換取引情報ＴＣＡ１、ＴＣＡ２及びＴＣＢ０の例を示す図である。
【００５９】
図７は、本発明の実施の形態２にかかる交換取引情報登録処理の流れを示すシーケンス図である。ここでは、ユーザＵ１が端末１１１を操作するものとする。尚、図４と同等の処理については適宜説明を省略する。
【００６０】
まず、端末１１１は、ステップＳ１０１と同様に、交換取引情報ＴＣＡ１の登録要求を交換取引管理装置２へ送信する（Ｓ２０１）。次に、交換取引管理装置２の制御部２１は、端末１１１から交換取引情報ＴＣＡ１を受け付け、交換取引情報ＴＣＡ１を記憶部２２に登録する（Ｓ２０２）。また、端末１１１は、ステップＳ１０１と同様に、交換取引情報ＴＣＡ２の登録要求を交換取引管理装置２へ送信する（Ｓ２０３）。次に、制御部２１は、端末１１１から交換取引情報ＴＣＡ２を受け付け、交換取引情報ＴＣＡ２を記憶部２２に登録する（Ｓ２０４）。尚、ステップＳ２０１及びＳ２０３は、実行される順序を問わない。または、端末１１１は、ステップＳ２０１及びＳ２０３をまとめて実行しても構わない。
【００６１】
続いて、端末１１１は、取引相手Ｃ２を取引先とし、交換取引情報ＴＣＡ１とＴＣＡ２を統合した交換取引情報の生成要求を交換取引管理装置２へ送信する（Ｓ２０５）。例えば、交換取引管理装置２は、登録済みの交換取引情報２２１の選択欄と、取引先の入力欄と、登録ボタンとを含めて新たな登録画面を生成し、交換取引情報ＴＣＡ１及びＴＣＡ２の登録完了の旨と、当該新たな登録画面とを端末１１１へ送信する。そして、端末１１１は、受信した新たな登録画面を表示装置に表示する。端末１１１は、選択欄から交換取引情報ＴＣＡ１及びＴＣＡ２を選択する入力と、取引相手Ｃ２の識別情報を取引先とする入力とをユーザＵ１から受け付け、ユーザＵ１による登録ボタンの押下に応じて、交換取引情報ＴＣＡ１及びＴＣＡ２に基づき取引相手Ｃ２を取引先とした交換取引情報を生成するための指示を登録要求として交換取引管理装置２へ送信する。
【００６２】
次に、制御部２１は、端末１１１からステップＳ２０５の登録要求を受け付ける。すなわち、制御部２１は、取引相手Ｃ２を交換取引ＴＢ０の取引先とした情報の入力を受け付ける。そして、制御部２１は、記憶部２２に登録された交換取引情報ＴＣＡ１及びＴＣＡ２を参照し（Ｓ２０６）、交換取引条件を統合する（Ｓ２０７）。すなわち、制御部２１は、交換取引情報ＴＣＡ１の共通取引条件の取引額"Ｍ１"と交換取引情報ＴＣＡ２の共通取引条件の取引額"Ｍ２"とを合算することにより、共通取引条件の統合後の取引額"Ｍ１＋Ｍ２"を生成する。
【００６３】
そして、制御部２１は、交換取引情報ＴＣＡ１又はＴＣＡ２を参照して、交換取引情報ＴＣＢ０を生成する（Ｓ２０８）。すなわち、制御部２１は、取引先情報２３２を取引相手Ｃ２の識別情報として設定する。また、制御部２１は、取引元情報２３１を交換取引情報ＴＣＡ１又はＴＣＡ２と同値であるユーザＵ１の識別情報として設定する。続いて、制御部２１は、売取引情報２３３及び買取引情報２３４について、交換取引情報ＴＣＡ１又はＴＣＡ２と入れ替えて、売取引情報２３３を"変動金利"及び買取引情報２３４を"固定金利"として設定する。
【００６４】
さらに、制御部２１は、手数料情報２２６に基づき交換取引情報ＴＣＡ１又はＴＣＡ２の買取引条件"市場金利＋金利α＋金利β"から金利βを差し引いて"市場金利＋金利α"を交換取引情報ＴＣＢ０の売取引条件として決定する。また、制御部２１は、交換取引情報ＴＣＡ１又はＴＣＡ２の売取引条件"ｎ％"を交換取引情報ＴＣＢ０の買取引条件とし、共通取引条件を上記統合後の取引額"Ｍ１＋Ｍ２"と"期間Ｐ"とする。このようにして、制御部２１は、交換取引情報ＴＣＢ０を自動生成する。その後、制御部２１は、交換取引情報ＴＣＢ０を記憶部２２に登録する（Ｓ２０９）。
【００６５】
このように、ステップＳ２０１〜Ｓ２０９により、交換取引管理装置２は、登録済みの交換取引情報ＴＣＡ１及びＴＣＡ２と、取引相手Ｃ２を取引先とした情報の入力とを用いて交換取引情報ＴＣＡ１及びＴＣＡ２を統合した交換取引情報ＴＣＢ０を自動生成することができる。そのため、交換取引情報ＴＣＢ０の登録において、ユーザの入力負担を軽減することができる。
【００６６】
＜発明の実施の形態３＞
本発明の実施の形態３では、１つの交換取引情報を分割して複数の交換取引情報を自動生成及び登録するものである。尚、本発明の実施の形態３にかかる交換取引管理システムは、図１の交換取引管理システム１００と同等であるため、図示及び説明を省略する。
【００６７】
図８は、本発明の実施の形態３にかかる交換取引のシナリオ（分割）の概念を説明するための図である。尚、ユーザＵ１は拠点Ｂ１に所属するものとし、ユーザＵ１並びに取引相手Ｃ１、Ｃ２１及びＣ２２の識別情報は、それぞれ、記憶部２２のユーザ情報２２２及び顧客情報２２４として登録済みであるものとする。
【００６８】
図８の交換取引のシナリオは、まず、第１の取引相手Ｃ１とユーザＵ１との間で売取引と買取引の組合せである第１の交換取引ＴＡ０を締結するものとする。そして、当該ユーザＵ１が第１の交換取引ＴＡ０の原資産の一部の変動リスクを第２の取引相手Ｃ２１へ移転するために、第１の交換取引ＴＡ０の変動要素を相殺する反対取引の一部である第２の交換取引ＴＢ１をユーザＵ１と第２の取引相手Ｃ２１との間で締結するものとする。同様に、ユーザＵ１が第１の交換取引ＴＡ０の原資産の残りの変動リスクを第３の取引相手Ｃ２２へ移転するために、反対取引の残りである第３の交換取引ＴＢ２をユーザＵ１と第３の取引相手Ｃ２２との間で締結するものとする。
【００６９】
ここで、交換取引ＴＡ０は、ユーザＵ１の立場からは、固定金利の売取引ＴＡ０ＰＸと変動金利の買取引ＴＡ０ＲＹとの交換取引といえる。交換取引ＴＢ１は、ユーザＵ１が有する交換取引ＴＡ０の原資産の一部の変動リスクを取引相手Ｃ２１へ移転したものである。原資産の一部とは、例えば、元本金額の一部とする。そのため、交換取引ＴＢ１は、交換取引ＴＡ０の反対取引の一部といえる。また、交換取引ＴＢ１は、ユーザＵ１の立場から見たものであり、固定金利の買取引ＴＢ１ＲＸと変動金利の売取引ＴＢ１ＰＹとの交換取引といえる。
【００７０】
また、交換取引ＴＢ２は、ユーザＵ１が有する交換取引ＴＡ０の原資産の変動リスクのうち、取引相手Ｃ２１へ移転した分の残りを取引相手Ｃ２２へ移転したものである。交換取引ＴＢ２は、交換取引ＴＡ０の反対取引のうち、取引相手Ｃ２１へ移転した分の残りといえる。また、交換取引ＴＢ２は、ユーザＵ１の立場から見たものであり、固定金利の買取引ＴＢ２ＲＸと変動金利の売取引ＴＢ２ＰＹとの交換取引といえる。ここで、交換取引ＴＢ１及びＴＢ２は、交換取引ＴＡ０の元本金額を２分割したものである。但し、売取引ＴＢ１ＰＹ及びＴＢ２ＰＹは、買取引ＴＡ０ＲＹを２分割した取引に比べて金利β分が少ない取引とする。そのため、交換取引ＴＢ１の買取引ＴＢ１ＲＸと交換取引ＴＢ２の買取引ＴＢ２ＲＸとを統合した取引は、交換取引ＴＡ０の売取引ＴＡ０ＰＸと同等の経済価値を有する取引である。
【００７１】
また、記憶部２２に登録される交換取引情報ＴＣＡ０は交換取引ＴＡ０に対応し、交換取引情報ＴＣＢ１は交換取引ＴＢ１に対応し、交換取引情報ＴＣＢ２は交換取引ＴＢ２に対応する。そこで、本発明の実施の形態３にかかる交換取引管理装置２は、交換取引情報ＴＣＡ０に基づいて交換取引ＴＢ１に対応する交換取引情報ＴＣＢ１と、交換取引ＴＢ２に対応する交換取引情報ＴＣＢ２とを自動生成し、交換取引情報ＴＣＢ１及びＴＣＢ２を記憶部２２に登録する。図９は、本発明の実施の形態３にかかる交換取引情報ＴＣＡ０、ＴＣＢ１及びＴＣＢ２の例を示す図である。
【００７２】
図１０は、本発明の実施の形態３にかかる交換取引情報登録処理の流れを示すシーケンス図である。ここでは、ユーザＵ１が端末１１１を操作するものとする。尚、図４と同等の処理については適宜説明を省略する。また、記憶部２２には、予め交換取引情報を分割するための所定の比率が格納済みであるものとする。
【００７３】
まず、端末１１１は、ステップＳ１０１と同様に、交換取引情報ＴＣＡ０の登録要求を交換取引管理装置２へ送信する（Ｓ３０１）。次に、交換取引管理装置２の制御部２１は、端末１１１から交換取引情報ＴＣＡ０を受け付け、交換取引情報ＴＣＡ０を記憶部２２に登録する（Ｓ３０２）。
【００７４】
続いて、端末１１１は、交換取引情報ＴＣＡ０から、取引相手Ｃ２１を取引先とした交換取引情報ＴＣＢ１と取引相手Ｃ２２を取引先とした交換取引情報ＴＣＢ２とに分割した交換取引情報の生成要求を交換取引管理装置２へ送信する（Ｓ３０３）。例えば、交換取引管理装置２は、登録済みの交換取引情報２２１の選択欄と、複数の取引先の入力欄と、登録ボタンとを含めて新たな登録画面を生成し、交換取引情報ＴＣＡ０の登録完了の旨と、当該新たな登録画面とを端末１１１へ送信する。そして、端末１１１は、受信した新たな登録画面を表示装置に表示する。端末１１１は、選択欄から交換取引情報ＴＣＡ０を選択する入力と、取引相手Ｃ２１及びＣ２２の識別情報を取引先とする入力とをユーザＵ１から受け付け、ユーザＵ１による登録ボタンの押下に応じて、当該入力値を含めた生成要求を取引管理装置２へ送信する。
【００７５】
次に、制御部２１は、端末１１１からステップＳ３０３の生成要求を受け付ける。すなわち、制御部２１は、取引相手Ｃ２１を交換取引ＴＢ１の取引先とした情報及び取引相手Ｃ２２を交換取引ＴＢ２の取引先とした情報の入力を受け付ける。そして、制御部２１は、記憶部２２に登録された交換取引情報ＴＣＡ０を参照し（Ｓ３０４）、交換取引情報を分割する（Ｓ３０５）。すなわち、制御部２１は、交換取引情報ＴＣＡ０の交換取引条件情報２３５を交換取引情報ＴＣＢ１及びＴＣＢ２の交換取引条件情報に、所定の比率で分割する。例えば、制御部２１は、交換取引情報ＴＣＡ０の共通取引条件の取引額"Ｍ１＋Ｍ２"を、交換取引情報ＴＣＢ１の共通取引条件の取引額"Ｍ１"と交換取引情報ＴＣＢ２の共通取引条件の取引額"Ｍ２"として分割する。
【００７６】
そして、制御部２１は、交換取引情報ＴＣＡ０を参照して、交換取引情報ＴＣＢ１を生成する（Ｓ３０６）。すなわち、制御部２１は、取引先情報２３２を取引相手Ｃ２１の識別情報として設定する。また、制御部２１は、取引元情報２３１を交換取引情報ＴＣＡ０と同値であるユーザＵ１の識別情報として設定する。続いて、制御部２１は、売取引情報２３３及び買取引情報２３４について、交換取引情報ＴＣＡ０と入れ替えて、売取引情報２３３を"変動金利"及び買取引情報２３４を"固定金利"として設定する。
【００７７】
さらに、制御部２１は、手数料情報２２６に基づき交換取引情報ＴＣＡ０の買取引条件"市場金利＋金利α＋金利β"から金利βを差し引いて"市場金利＋金利α"を交換取引情報ＴＣＢ１の売取引条件として決定する。また、制御部２１は、交換取引情報ＴＣＡ０の売取引条件"ｎ％"を交換取引情報ＴＣＢ１の買取引条件とし、共通取引条件を上記分割後の取引額"Ｍ１"と"期間Ｐ"とする。このようにして、制御部２１は、交換取引情報ＴＣＢ１を自動生成する。その後、制御部２１は、交換取引情報ＴＣＢ１を記憶部２２に登録する（Ｓ３０７）。
【００７８】
また、制御部２１は、交換取引情報ＴＣＡ０を参照して、交換取引情報ＴＣＢ２を生成する（Ｓ３０８）。すなわち、制御部２１は、取引先情報２３２を取引相手Ｃ２２の識別情報として設定する。また、制御部２１は、共通取引条件を上記分割後の取引額"Ｍ２"と"期間Ｐ"とする。尚、その他の設定については、ステップＳ３０６と同様とする。このようにして、制御部２１は、交換取引情報ＴＣＢ２を自動生成する。その後、制御部２１は、交換取引情報ＴＣＢ２を記憶部２２に登録する（Ｓ３０９）。
【００７９】
尚、ステップＳ３０６及びＳ３０７とステップＳ３０８及びＳ３０９とは、実行される順序を問わない。または、端末１１１は、ステップＳ３０６及びＳ３０７とステップＳ３０８及びＳ３０９とを並列して実行しても構わない。
【００８０】
このように、ステップＳ３０１〜Ｓ３０９により、交換取引管理装置２は、登録済みの交換取引情報ＴＣＡ０と、取引相手Ｃ２１及びＣ２２を取引先とした情報の入力とを用いて交換取引情報ＴＣＡ０を分割した交換取引情報ＴＣＢ１及びＴＣＢ２を自動生成することができる。そのため、交換取引情報ＴＣＢ１及びＴＣＢ２の登録において、ユーザの入力負担を軽減することができる。
【００８１】
＜その他の発明の実施の形態＞
尚、本発明の実施の形態１にかかる交換取引管理装置２は、図２以外の交換取引のシナリオにも適用可能である。例えば、第１の交換取引ＴＡの反対取引である第２の交換取引ＴＢを、ユーザＵ１と第２の取引相手Ｃ２との間で締結する場合が挙げられる。ここで、取引相手Ｃ２は、当該金融機関以外の金融機関や顧客であるものとする。この場合、図４のステップＳ１０１〜Ｓ１０６の処理に相当する処理で実現可能である。但し、ステップＳ１０３において、端末１１１は、取引相手Ｃ２を取引先とした情報の登録要求を送信し、交換取引管理装置２は、交換取引情報ＴＣＢの取引先情報２３２を取引相手Ｃ２として設定することとなる。
【００８２】
上記の例では本来、ユーザＵ１は、交換取引情報ＴＣＡ及びＴＣＢの全ての項目値を入力しなければならない。しかし、本発明の実施の形態１により、交換取引情報ＴＣＡの各項目値の入力、交換取引情報ＴＣＡの指定及び取引相手Ｃ２を取引先とする入力のみで可能となる。そのため、ユーザの入力負担を軽減できる。
【００８３】
また、上記の例で、第２の取引相手が当該金融機関の内部のユーザである場合、交換取引情報の管理上、同一の交換取引について双方の立場からデータを登録する必要があり、登録作業が煩雑である。例えば、第２の取引相手が同一拠点の他部署や他の拠点に所属するユーザである場合であって、当該交換取引の原資産の変動リスクをさらに移転しない場合が挙げられる。この場合、図２の交換取引のシナリオにおいて、交換取引情報ＴＣＤを生成及び登録しないことに相当する。そして、図４のステップＳ１０１〜Ｓ１１０の処理に相当する処理で実現可能である。
【００８４】
上記の例では本来、ユーザＵ２は、交換取引情報ＴＣＢが登録済みであるにもかかわらず、別途、自己の立場からの交換取引情報ＴＣＣの全ての項目値を入力しなければならない。しかし、本発明の実施の形態１により、交換取引情報ＴＣＢの指定及び入替の指示のみで可能となる。そのため、ユーザの入力負担をさらに軽減できる。
【００８５】
尚、上記では、本発明の実施の形態１の交換取引管理装置２は、交換取引情報ＴＣＢに基づき交換取引情報ＴＣＣを生成していたが、これに限定されない。例えば、交換取引管理装置２の制御部２１は、図４のステップＳ１０８にて、記憶部２２に登録された交換取引情報ＴＣＡを参照して、交換取引情報ＴＣＡに基づいて交換取引情報ＴＣＣを生成しても構わない。この場合、制御部２１は、取引元情報２３１をユーザＵ２の識別情報、取引先情報２３２をユーザＵ１の識別情報として設定する。また、制御部２１は、ステップＳ１０９と同様に、買取引条件を"市場金利＋金利α"として設定する。そして、その他の項目については、交換取引情報ＴＣＡと同値として設定する。このようにして、制御部２１は、交換取引情報ＴＣＣを自動生成することができる。
【００８６】
尚、上記では、本発明の実施の形態１の交換取引管理装置２は、交換取引情報ＴＣＣに基づき交換取引情報ＴＣＤを生成していたが、これに限定されない。例えば、交換取引管理装置２の制御部２１は、図４のステップＳ１１２にて、記憶部２２に登録された交換取引情報ＴＣＡを参照して、交換取引情報ＴＣＡに基づいて交換取引情報ＴＣＤを生成しても構わない。この場合、制御部２１は、取引元情報２３１をユーザＵ２の識別情報、取引先情報２３２を取引相手Ｃ２の識別情報として設定する。また、制御部２１は、ステップＳ１０９と同様に、買取引条件を"市場金利＋金利α"として設定する。そして、その他の項目については、交換取引情報ＴＣＡと同値として設定する。
【００８７】
または、交換取引管理装置２の制御部２１は、図４のステップＳ１１２にて、記憶部２２に登録された交換取引情報ＴＣＢを参照して、交換取引情報ＴＣＢに基づいて交換取引情報ＴＣＤを生成しても構わない。この場合、制御部２１は、取引元情報２３１をユーザＵ２の識別情報、取引先情報２３２を取引相手Ｃ２の識別情報として設定する。そして、その他の項目については、交換取引情報ＴＣＢと同値として設定する。このようにして、制御部２１は、交換取引情報ＴＣＤを自動生成することができる。
【００８８】
さらに、上述したことに基づいて、本発明の実施の形態１の交換取引管理装置２に改良を加えることで、交換取引情報ＴＣＡの登録と同時又は登録後に、交換取引情報ＴＣＡに基づいて、交換取引情報ＴＣＢ、ＴＣＣ及びＴＣＤを一括して自動生成し、登録することも可能である。その場合、交換取引管理装置２は、図４のステップＳ１０１、Ｓ１０３、Ｓ１０７及びＳ１１１における各入力情報と同等のものを登録要求として、端末１１１から受信することで実現可能である。
【００８９】
また、本発明の実施の形態２は、図５の交換取引のシナリオにおいて、第２の取引相手Ｃ２の代わりに、同一拠点の他部署や他の拠点に所属する内部のユーザであっても適用可能である。
【００９０】
また、本発明の実施の形態３は、図８の交換取引のシナリオにおいて、第２の取引相手Ｃ２１及び第３の取引相手Ｃ２２のいずれか又は両方が、同一拠点の他部署や他の拠点に所属する内部のユーザであっても適用可能である。
【００９１】
さらに、本発明は上述した実施の形態のみに限定されるものではなく、既に述べた本発明の要旨を逸脱しない範囲において種々の変更が可能であることは勿論である。
【符号の説明】
【００９２】
１００  交換取引管理システム
Ｂ１  拠点
ＳＢ１１  部署
ＳＢ１２  部署
１１１  端末
１１２  端末
Ｂ２  拠点
ＳＢ２１  部署
ＳＢ２２  部署
１２１  端末
１２２  端末
Ｂ３  拠点
ＳＢ３１  部署
ＳＢ３２  部署
１３１  端末
１３２  端末
Ｎ  ネットワーク
２  交換取引管理装置
２１  制御部
２２  記憶部
２２１  交換取引情報
２２２  ユーザ情報
２２３  拠点情報
２２４  顧客情報
２２５  金融機関情報
２２６  手数料情報
２２７  金利情報
２３１  取引元情報
２３２  取引先情報
２３３  売取引情報
２３４  買取引情報
２３５  交換取引条件情報
Ｕ１  ユーザ
Ｕ２  ユーザ
Ｃ１  取引相手
Ｃ２  取引相手
ＴＡ  交換取引
ＴＡＰＸ  売取引
ＴＡＲＹ  買取引
ＴＣＡ  交換取引情報
ＴＢ  交換取引
ＴＢＲＸ  買取引
ＴＢＰＹ  売取引
ＴＣＢ  交換取引情報
ＴＣ  交換取引
ＴＣＰＸ  売取引
ＴＣＲＹ  買取引
ＴＣＣ  交換取引情報
ＴＤ  交換取引
ＴＤＲＸ  買取引
ＴＤＰＹ  売取引
ＴＣＤ  交換取引情報
Ｃ１１  取引相手
Ｃ１２  取引相手
ＴＡ１  交換取引
ＴＡ１ＰＸ  売取引
ＴＡ１ＲＹ  買取引
ＴＣＡ１  交換取引情報
ＴＡ２  交換取引
ＴＡ２ＰＸ  売取引
ＴＡ２ＲＹ  買取引
ＴＣＡ２  交換取引情報
ＴＢ０  交換取引
ＴＢ０ＲＸ  買取引
ＴＢ０ＰＹ  売取引
ＴＣＢ０  交換取引情報
Ｃ２１  取引相手
Ｃ２２  取引相手
ＴＡ０  交換取引
ＴＡ０ＰＸ  売取引
ＴＡ０ＲＹ  買取引
ＴＣＡ０  交換取引情報
ＴＢ１  交換取引
ＴＢ１ＲＸ  買取引
ＴＢ１ＰＹ  売取引
ＴＣＢ１  交換取引情報
ＴＢ２  交換取引
ＴＢ２ＲＸ  買取引
ＴＢ２ＰＹ  売取引
ＴＣＢ２  交換取引情報
【図１】
2012256261.tif 000003
【図２】
2012256261.tif 000004
【図３】
2012256261.tif 000005
【図４】
2012256261.tif 000006
【図５】
2012256261.tif 000007
【図６】
2012256261.tif 000008
【図７】
2012256261.tif 000009
【図８】
2012256261.tif 000010
【図９】
2012256261.tif 000011
【図１０】
2012256261.tif 000012